(57)【要約】【課題】　背面投射型映像装置において、光源ランプの寿命や信頼性に関する情報を表示する。【解決手段】　光源ランプの累積通電時間をタイマで計時し、所定時間毎にタイマの値をメモリに記憶し、リモコン当からの指示に応じてメモリに記憶されている累積時間をスクリーン上に表示するように制御する。【選択図】　図１
2004110068.tif 000002
【特許請求の範囲】
【請求項１】
　スクリーンの背面から光を投射する光源用ランプを交換可能なランプハウス内に備えた背面投射型映像装置であって、
　前記光源用ランプの使用時間を計測するためのタイマと、
　前記タイマにより計測された交換可能な前記ランプハウスの光源用ランプの使用時間を前記スクリーンに表示するように制御する制御部と、
　前記背面投射型映像装置の前面に設けられ、前記ランプハウスを収容するランプハウス収容部とを備え、
　前記ランプハウスは、その交換のときに使用される取手を有し、前記制御部によりスクリーンに表示された光源用ランプの使用時間に基づいて、前記背面投射型映像装置の前面方向から前記ランプハウス収容部に対して交換可能に取り付けられていること
を特徴とする背面投射型映像装置。
【請求項２】
　前記背面投射型映像装置の前面に設けられ、前記ランプハウス収容部に収容された前記ランプハウスを保護する保護カバーを有し、
　前記保護カバーは、前記光源用ランプの交換作業を記載した取扱部を有すること
を特徴とする請求項１に記載の背面投射型映像装置。
【発明の詳細な説明】
【技術分野】
【０００１】
　本発明は、光源ランプからの光を液晶表示器を通して背面からスクリーンに投射することによりスクリーン上に画像を表示する背面投射型映像装置に関し、特に、光源ランプの寿命及び信頼性に関する情報の提供手段を備えた背面投射型映像装置に関する。
【背景技術】
【０００２】
　従来技術における映像機器、例えば液晶リアプロジェクションテレビは、奥行きを少なくしてスクリーンを広くできることにより、ブラウン管を用いたテレビジョン受像機よりも大型化が容易であり、例えば、図１１に示すものが従来例として周知である。
【０００３】
　液晶リアプロジェクションテレビ１は、図１１に示すように、上部キャビネット２と下部キャビネット３とから構成され、上部キャビネット２の内部には前面側に配設したスクリーン４と、スクリーン４に映像の光線を照射するミラー５とを設けた構造となっている。
【０００４】
　下部キャビネット３には、投射レンズ６を備えた光学ユニット７と、この光学ユニット７に光を照射する光源を備えたランプハウス部８と、図示していないが光学ユニット７を制御する制御部を設けた構造となっている。
【０００５】
　ランプハウス部８は、図示していないが、その内部に光を発生させるランプを内蔵し、その内蔵されたランプは高熱を発生するため、液晶リアプロジェクションテレビ１の背面側から収納し、容易に交換できないようにして、液晶リアプロジェクションテレビ１の利用者の安全性を図っている。
【０００６】
　スクリーン４への映像は、図１２に示すように、映像の原板ともいうべき液晶表示部（ＬＣＤ）９とを有している投射レンズ６を備えた光学ユニット７と、光源ランプを有するランプハウス部８から出力された強い光は液晶表示部９を通過して映像光となって投射レンズ６から出射される。出射された映像光は、ミラー７で反射されてスクリーン５上に焦点を結ぶようになっている。その結果、スクリーン５の前方にいる利用者には虚像１０としての画像が見えることになる。
【０００７】
　上記のように、背面投射型映像装置は、光源ランプの光を液晶表示部９を通して見るものであるから、ランプハウス部８の光源ランプの光が強ければ強い程鮮明な画像を得ることができることは言うまでもない。
【発明の開示】
【発明が解決しようとする課題】
【０００８】
　しかしながら、光源の光を強くするには、それだけランプの出力を大きくしなければならず、ランプの出力を上げるとランプの寿命が短くなる。従って、光源の光を強くすると画像が鮮明になる反面、ランプが何時切れるかについての心配も増えるという問題点があった。
【０００９】
　また、画面が写らなくなった時、ランプの寿命が切れたのに投射型映像装置本体の故障と勘違いして的確な処置が取れないという問題点があった。
【００１０】
　従って、本発明は、背面投射型映像装置の利用者が光源ランプとの状態に関する情報を何時でも入手することができる情報表示手段に課題を有する。
【課題を解決するための手段】
【００１１】
　上記課題を解決するために、本発明に係る背面投射型映像装置は、スクリーンの背面から光を投射する光源用ランプを交換可能なランプハウス内に備えた背面投射型映像装置であって、前記光源用ランプの使用時間を計測するためのタイマと、前記タイマにより計測された交換可能な前記ランプハウスの光源用ランプの使用時間を前記スクリーンに表示するように制御する制御部と、前記背面投射型映像装置の前面に設けられ、前記ランプハウスを収容するランプハウス収容部とを備え、前記ランプハウスは、その交換のときに使用される取手を有し、前記制御部によりスクリーンに表示された光源用ランプの使用時間に基づいて、前記背面投射型映像装置の前面方向から前記ランプハウス収容部に対して交換可能に取り付けられていることを特徴とする。
【００１２】
　上記構成により、利用者は、適時リモコン又は操作ボタンで指示することにより、光源ランプの累積通電時間を知ることができ、それにより、光源ランプの寿命切れの対策を余裕を持って的確に行うことができ、また、光源ランプの寿命切れを故障と勘違いすることもなくなる。
【発明の効果】
【００１３】
　以上説明したように、本発明に係る背面投射型映像装置は、ランプの寿命に関する管理情報を表示するので、使用者は、ランプが何時切れるか心配しなくても済みまた、ランプの寿命切れを装置本体の故障と間違えることがなくなる。
【発明を実施するための最良の形態】
【００１４】
　次に、本発明に係る背面投射型映像装置について、液晶リアプロジェクションテレビの実施形態について図を参照にして以下詳細に説明する。尚、従来技術と同一のものには理解し易いように同一番号を付与して説明する。
【実施例１】
【００１５】
　液晶リアプロジェクションテレビ１Ａは、図１、図２及び図３に示すように、上部キャビネット２Ａと下部キャビネット３Ａとから構成されている。
【００１６】
　上部キャビネット２Ａは、その前面側に長方形状のフレーム部１１が形成され、該フレーム部１１にスクリーン４Ａが取り付けられている。そして、図３に示すように、上面壁１２、両側面壁１３、背面壁１４及び底面壁１５により全体としては内部が空洞で且つ周囲が封鎖された箱形状に形成され、背面壁１４の内側に台座を介してミラー５Ａが取り付けられている。
【００１７】
　下部キャビネット３Ａには、前記上部キャビネット２Ａに設けられたスクリーン４Ａ及びミラー５Ａを除き、液晶リアプロジェクションテレビ１Ａとしての必要な全ての機器が装備されている。例えば、主要構成部としてＬＣＤ及び駆動回路を含む映像機器及び投射レンズを備えた光学ユニット７Ａが略中央部に配設されている。
【００１８】
　図２に示す下部キャビネット３Ａの前面側の中央部から右側の位置（本実施例では正面から見て右側）に光源部１６とスピーカー１７ａとが配設され、その上から多数の透孔を有する目隠し用第１のグリル１８ａで覆った構造となっている。
【００１９】
　前記ＬＣＤは投射レンズを含め、ＲＧＢの色彩濃度も制御できるようにした、所謂光学ユニット７Ａ（図３参照）として一般的に使用されているものが採用され、駆動回路は、例えばプリント基板に複数の必要な電子部品を搭載したものが採用される。尚、光源としては、例えば高性能な高輝度放電ランプ（実施例においてはＨＩＤランプ／１００Ｗ）を使用し、全体をカートリッジ式にして、液晶リアプロジェクションテレビ１Ａ本体の前面側から光源用ランプを備えたランプハウス毎簡単に交換できるようにしてある。この点については詳細に後述する。
【００２０】
　下部キャビネット３Ａの前面側の左側にはスピーカ１７ｂと、内部の光学ユニット７Ａ（図３参照）を冷却するための空気取入口１９が設けられ、その上から化粧板であって多数の透孔を有する第２のグリル１８ｂで目隠ししてある。尚、図示されていないが空気取入口１９からの空気は内部に設けたファンにより送風され光学ユニット７Ａを冷却する構造となっている。
【００２１】
　下部キャビネット３Ａの前面側において中央部よりやや右側位置に操作パネル部２０が取り付けられ、図１に示すように、各種の操作が手動で行えると共に、リモートコントロール（リモコン）２１による操作も行えるようにしてある。
【００２２】
　操作パネル部２０は、液晶リアプロジェクションテレビ１Ａの操作をする操作ボタン２２と液晶リアプロジェクションテレビ１Ａの状態を示すＬＥＤ表示器２３とから構成されている。
【００２３】
　このような外観を呈する液晶リアプロジェクションテレビ１Ａは、光源部１６、スピーカー１７ａ、１７ｂ及び空気取入口１９は、前面側に着脱自在に配設した化粧用の第１及び第２のグリル１８ａ、１８ｂにより全面的に覆われて目隠しされた状態にし、体裁を良くしてある。
【００２４】
　一方、液晶リアプロジェクションテレビ１Ａを設置した位置をずらしたり移動させたりすることなく、前面側の第１及び第２のグリル１８ａ、１８ｂを取り外すことにより、光源部１６の光源の取り替えが容易に行えると共に、空気取入口１９のフィルターも簡単に取り替えることができる。
【００２５】
　この光源部１６は、図４及び図５に示すように、液晶プロジェクションテレビ１Ａの下部キャビネット３Ａの前面右側位置に設けたものであり、下部キャビネット３Ａ本体に設けた光源収容部２４と、光源収容部２４内に位置決めして固定されるランプハウス収容部２８（図５参照）と、高輝度放電ランプ３４を備えたランプハウス３３と、取扱要項を記載した保護カバー４３と、音声の通過及び空気の流路も兼ねた多数の透孔を有する第１のグリル１８ａとから構成されている。
【００２６】
　光源収容部２４は、図５に示すように、下部キャビネット３Ａの前面に配置する枠体２５に設けた光源収容枠２６と、ランプハウス収容部２８とから構成され、ランプハウス収容部２１を取り付け、その前面に枠体２５を配置することにより形成される。
【００２７】
　光源収容枠２６は、図５に示すように、略四角形状の窓型形状に形成され、四方の各コーナーに補強を兼ねると共に、ランプハウス３３のガイドをも兼ねた係合凸部２７ａ〜２７ｄを設けた構造となっている。
【００２８】
　ランプハウス収容部２８は、図６に示すように、略四角形状の断熱性材料で形成され、籠型形状をしており、取り付ける方向に対して左側側面にはひし形形状の光路用窓部２９を設け、そのほかの３側面は所定の大きさの透孔３０を多数設け、開口部３１の端縁にはランプハウス３３を係止するネジ穴部３２を設けた構造となっている。
【００２９】
　このような構造からなる光源収容部２４は、図５に示すように、先ず下部キャビネット３Ａ本体の光源収容位置にランプハウス収容部２８を収容して、図示していない上部に設けた固定具と背面にあるネジ止めにより配置固定される。そして、その上から枠体２５を被せることにより完成する。
【００３０】
　次に、ランプハウス３３について説明する。ランプハウス３３は、図６に示すように、ランプハウス収容部２８の形状と略同じくして四角形状に形成され、収容する方向の左側面と前面側を直角に連設して形成し、ランプ３４を支持する断熱性部材のランプ支持部３５と、ランプ支持部３５の前面側であって同一断熱性部材で一体形成した取手部３６と、金属性材料で形成され、収容する方向の右側面と背面と平面と底面とが各々直角になり、各々に多数の透孔３７からなる網状に形成されたランプカバー部３８とから構成されている。
【００３１】
　ランプ支持部３５には、ランプ３４の前面のガラス面が外側に臨むようにして係合支持する円形状の窓部３９を設けた構造となっている。
【００３２】
　取手部３６は、ランプハウス３３の前面側に位置し両側に固定ネジ４０を備えたネジ部４１と、下部側にランプ３４の取り扱いを記載し、その上部に取手４２を取り付けた構造となっている。このネジ部４１に差し込まれる固定ネジ４０は簡単にとれないようにヘックスレンチにより外れるヘックスネジが使用されているが、これに限定されないことは勿論のことである。
【００３３】
　取手４２は、ランプ３４の取り扱いを記載した位置の上部であって、中央位置よりやや右側位置に上部側及び下部側から略半円形状のめくら穴形状に形成した構造となっている。このような構造とした取手４２は、右手又は左手の片方で親指を上方向から差込むと共に下方向から人差し指を差し込み、他の指の背中部分をランプ３４の取扱を記載した位置近傍にあてて抜き差し等の取り扱いができる構造となっている。即ち、親指と人差し指とで取手４２を持つ構造にしてその他の指等では取り扱いずらい構造となっており、且つランプ３４を持った時に安定した所持状態となり、ランプ３４の取り扱いを慎重にさせる構造となっている。
【００３４】
　保護カバー４３は、図６に示すように、略四角形状に形成し、横方向の両側の溝を挟んだ棒状のノブ４４と、ノブ４４の下部側位置にランプ３４の交換の取り替え要項を記載した取扱部４５とから構成され、ランプハウス収容部２８にランプハウス３３を収容した上から係合する。このようにわざと保護カバー４３を設けることにより、ランプ３４を交換の際に高熱であることの注意を喚起させ，ランプ３４の交換を慎重に行わせることができると共に、交換作業が素人でもできるように取扱部４５に記載されており、正確な交換作業ができるような配慮がされている。
【００３５】
　このような構造からなる光源部１６は、図４に示すように、液晶プロジェクションテレビ１Ａ本体の光源収容部２４にランプハウス収容部２８を設置し、ランプハウス３３を前面側から入れて係合させる。この時、図示されていないがランプハウス３３の背面に設けてあるランプ３４に電源を供給するコネクタが本体と接続する構造となっている。そして、ランプ３４の照射するレンズ面が光路用窓部２９を介して臨んだ状態となる。そしてランプハウス３３を覆うようして保護カバー４３を取り付けてその上から化粧板である第１のグリル１８ａを組み立てて完成する。このように、背面照射用の光源用ランプ３４を備えたランプハウス３３をカートリッジ形式にして、液晶リアプロジェクションテレビ１Ａの前面方向から素人でも簡単に抜き差しして交換できる構造が実現するのである。
【００３６】
　次に、このような光源部１６を備えた液晶リアプロジェクションテレビ１Ａの光学系の内部構成について説明する。
【００３７】
　液晶リアプロジェクションテレビ１Ａは、図１を参照にして説明したように、下部キャビネット３Ａの前面の操作パネル部２０の操作ボタン２２と、ＬＥＤ表示器２３と、リモコン２１からの信号を受信する赤外線受光器（図示せず）とが設けられている。
操作ボタン２２は、利用者が液晶リアプロジェクションテレビ１Ａを操作するためのものである。
【００３８】
　ＬＥＤ表示器２３は、通常、電源の状態を表示している。
【００３９】
　また、下部キャビネット３Ａと上部キャビネット２Ａの内部には、図１２に示すように、スクリーン４（４Ａ）と、ミラー５（５Ａ）と、光学ユニット７（７Ａ）とが、互いに図１２に示すような位置関係で配置されていることは、上記従来の液晶リアプロジェクションテレビ１と同様である。
【００４０】
　この液晶リアプロジェクションテレビ１Ａにおける光学系の内部構成は、図７に示すように、上記操作ボタン２２、ＬＥＤ表示器２３、リモコン２１と、システムマイコン４６と、データバス４７と、データバス４７と夫々接続されシステムマイコン４６により制御されるメモリ４８、画面表示ＩＣ４９、Ｕ／Ｖチューナー５０、ＢＳチューナー５１、ＡＶスイッチ５２、ワイドＩＤ信号検出部５３、オーディオコントロール５４、３次元コムフィルター５５、拡張ＴＶ５６、クロマデコーダ５７、スキャンコンバータ５８、ＲＧＢマトリックス５９、ホワイトバランス部６０、ＬＣＤドライバ６１と、システムマイコン４６と接続されたランプ３４、ファン６３、温度計６４と、ＬＣＤドライバ６１の出力端子に接続された３個のＬＣＤパネル６５Ｒ、６５Ｇ、６５Ｂと、スクリーン４Ａと、オーディオコントロール５４の出力端子に接続された左右のスピーカ１７ａ、１７ｂとから構成されている。
【００４１】
　システムマイコン４６は、リモコン２１から赤外線受光器を介して指令信号を受信し、あるいは、操作ボタン２２からの指令信号を受信し、夫々の指令信号に応じて所定のプログラムを実行することにより、液晶リアプロジェクションテレビ１Ａの光学系全体を制御する。
【００４２】
　又、システムマイコン４６は、光源用ランプ３４、ファン６３、温度計６４から状態検出信号を受信し、夫々の起動、停止、状態監視等を行う。
【００４３】
　また、システムマイコン４６は、光源用ランプ３４の点灯時間を計測してスクリーン４Ａ上に表示するランプ管理情報表示制御部を形成し、ランプ３４の点灯時間を計時する２個のタイマを内蔵しており、後述するプログラムを実行することにより、光源用ランプ３４を管理するためのランプ管理情報をスクリーン４Ａに表示するように制御する。
【００４４】
　メモリ４８は、システムマイコン４６が行う制御に必要なプログラム及びデータを格納している。使用者が指定した画面モード、チャンネル、入力切換え、音量は、システムマイコン４６によってメモリ４８に記憶される。また、画歪み調整用データ等もメモリ４８に記憶されている。
【００４５】
　画面表示ＩＣ４９は、ＶＲＡＭとディスプレイコントローラとを有し、システムマイコン４６の制御の下で、使用者が指定した画面モードでの１画面分のランプ管理情報（累積時間）をＶＲＡＭ上に形成し、ディスプレイコントローラによりＶＲＡＭのデータを順次ＲＧＢ信号に作成して、ＲＧＢマトリックス５９へ出力する機能を有する。
【００４６】
　画面表示ＩＣ４９のこの機能により、スクリーン４Ａ上の放送画面に重畳して、または独立に、上記ランプ管理情報を表示することができる。
【００４７】
　Ｕ／Ｖチューナー５０は、システムマイコン４６からの選局制御信号によって制御され、Ｕ／Ｖアンテナで受信されたＵＨＦ／ＶＨＦ放送信号のチャンネルを選局する。Ｕ／Ｖチューナー５０から出力される中間周波の映像信号及び音声信号はＡＶスイッチ５２の入力端子に入力する。
【００４８】
　ＢＳチューナー５１は、システムマイコン４６からの選局制御信号によって制御され、ＢＳアンテナで受信された衛星放送信号のチャンネルを選局する。ＢＳチューナー５１から出力される中間周波の映像信号及び音声信号はＡＶスイッチ５２に入力する。
【００４９】
　図示していないビデオテープレコーダからの映像信号及び音声信号は、ＡＶスイッチ５２に入力する。
【００５０】
　ＡＶスイッチ５２は、システムマイコン４６の制御の下で、入力されたいずれか一つを選択し、映像信号を出力端子からワイドＩＤ信号検出部５３及び３次元コムフィルター５５へ出力し、音声信号をオーディオコントロール５４へ出力する。
【００５１】
　ワイドＩＤ信号検出部５３は、映像信号中のワイドＩＤ信号を検出する。ワイドＩＤ信号は、ビデオテープレコーダの再生信号の垂直帰線区間内に重畳されている信号であって、システムマイコン４６によって制御に使用される。
【００５２】
　オーディオコントロール５４は、音声信号の信号レベルの調整等を行った後、左音声信号Ｌ及び右音声信号Ｒを夫々左スピーカ１７ｂ及び右スピーカ１７ａへ出力する。
【００５３】
　３次元コムフィルター５５は、ＡＶスイッチ５２から出力された映像信号から輝度信号（Ｙ）と色信号（Ｃ）とを分離する所謂くし型フィルタである。
【００５４】
　拡張ＴＶ５６は、３次元コムフィルター５５から出力されたＹ／Ｃ信号から、ＥＤＴＶ２（クリアビジョン）の識別信号を検出し、補強信号のデコードを行い、デコードされた輝度信号及び色信号をクロマデコーダ５７へ出力する。
【００５５】
　クロマデコーダ５７は、色信号から色差信号を復調し、輝度信号と色差信号とを出力する。
【００５６】
　スキャンコンバータ５８は、クロマデコーダ５７から出力された輝度信号及び色差信号の走査速度を倍速に変換する。これは、液晶ディスプレイでは、ＣＲＴディスプレイのように走査線のインターレースができないので、１画面１走査となるので、走査速度を２倍にする必要があるためである。
【００５７】
　スキャンコンバータ５８では、また、ワイド画面にするため、アスペクト比を４：３から１６：９に変換する。また、例えばズームなどの処理も行うようになっている。スキャンコンバータ５８からの倍速の輝度信号及び色差信号は、ＲＧＢマトリックス５９に入力する。
【００５８】
　ＲＧＢマトリックス５９は、ＨＤ入力端子からの映像信号と、スキャンコンバータ５８から出力された倍速の輝度信号及び色差信号と、画面表示ＩＣ４９から出力されるランプ管理情報のＲＧＢ信号とを入力する構成となっている。
【００５９】
　ＲＧＢマトリックス５９は、基本的にスキャンコンバータ５８から出力された倍速の輝度信号及び色差信号とを、元のＲ信号、Ｇ信号、Ｂ信号に変換する機能を有する。また、ＲＧＢマトリックス５９は、ＨＤ入力か又は変換されたＲＧＢ信号かのいずれかを出力するように切り換える機能を有する。
【００６０】
　そして、変換されたＲＧＢ信号を出力する場合には、単独で出力するか或は画面表示ＩＣ４９から入力するランプ管理情報のＲＧＢ信号を重畳するかのいずれかとする。
ホワイトバランス部６０は、ＲＧＢマトリックス５９から出力されるＲ信号、Ｇ信号、Ｂ信号のホワイトバランス調整を行う。　
【００６１】
　ＬＣＤドライバ６１は、３枚のＬＣＤパネル６５Ｒ、６５Ｇ、６５Ｂに対して夫々、Ｒ信号、Ｇ信号、Ｂ信号を供給する。
【００６２】
　ＬＣＤパネル６５Ｒ、６５Ｇ、６５Ｂは、夫々赤、緑、青の光を通す液晶パネルである。ＬＣＤパネル６５Ｒ、６５Ｇ、６５Ｂには、夫々、同一の映像が赤、緑、青で形成されることになる。
【００６３】
　光源としてのランプ３４から発光する光がＬＣＤパネル６５Ｒ、６５Ｇ、６５Ｂを通過し、赤、緑、青の同一映像が光学系によりスクリーン４Ａに重なるように投射される。その結果、原カラー画像がスクリーン４Ａに写し出されることになる。
【００６４】
　以下、システムマイコン４６が行うランプ管理情報表示制御について、図８に示す流れ図を用いて説明する。
　システムマイコン４６は、リモコン２１からの指令によりランプ３４を点灯したり消灯したりする。システムマイコン４６は、ランプ３４の累積通電時間と使用時間とを夫々計時するための２個のタイマを内蔵している。各タイマの計時はランプ３４に通電している間だけ行われる。
【００６５】
　メモリ４８は、上記２個のタイマで計時される累積時間の「時」と「分」とを別々のアドレスに記憶する。
　さて、図８において、システムマイコン４６はステップＳＴ１において、メモリ４８から現在までの累積時間を読出してこの値を二つのタイマにセットすると共に各種フラグの設定を行う。
【００６６】
　また、この時、累積時間及び使用時間を５分進める。これは、電源を切った時、メモリ４８に現在時刻が書き込まれないので、その時に生じる時間計測誤差を軽減させるためである。
【００６７】
　ステップＳＴ２でシステムマイコン４６は、二つのタイマにより夫々累積時間と使用時間とを計時する。
　次に、システムマイコン４６は、累積時間の「分」の１の位が”０”になった時、メモリ４８に累積時間の「分」の書き込みを行う。つまり、１０分置きに「分」を書き込むことになる（ステップＳＴ３、ＳＴ４）。
【００６８】
　累積時間の「分」のメモリ４８への書き込みは、累積時間に基づき算出したアドレスへ書き込む。これは、メモリ４８の書き込み保証回数を超えないようにするためである。
　次に、累積時間の「時」がカウントアップした時、即ち、「分」の１０回目の書き込み時に、累積時間の「時」をメモリ４８に書き込む（ステップＳＴ５、ＳＴ６）。
【００６９】
　次に、使用時間の「分」の１の位が”０”になった時、使用時間の「分」の書き込みを行う。使用時間の「分」のメモリ４８への書き込みは、累積時間に基づき算出したアドレスへ書き込む。次に、第２のタイマの使用時間の「時」の書き込みを累積時間の場合と同様に行う（ステップＳＴ９、ＳＴ１０）。
【００７０】
　ステップＳＴ１１で、使用者は、ランプ３４の使用時間を知りたい時は、リモコン２１又は操作ボタン２２の「メニュー」ボタンを押すことにより、図９に示すような「ランプタイマー」画面を表示させる。この画面にはランプ使用時間が例えば０１２３４時間と表示されると共に、「戻る」と「時間０に戻す」との二つのメニューと、「選択」、「実行」「中断」の各ボタンが表示される。
【００７１】
　そこで、図９に示す画面上で、カーソルで「時間０に戻す」を選択し、「実行」ボタンをクリックすると、「ランプ使用時間クリア」のメニューに入る。
　この「ランプ使用時間クリア」メニューの「実行」と「取消」の内の「実行」を選択した場合は、画面の上部に表示されている使用時間を赤色で表示し、そうでない時は使用時間を緑色で表示するようになっている。
【００７２】
　「実行」を選択した場合、使用時間の「時」、「分」はクリアされ（”０”にセットされ）、使用時間がメモリ４８に書き込まれる。
　また、「中断」を選択した場合は、何も行われずメニューの１階層上へ戻る。
【００７３】
　ステップＳＴ１２において、操作ボタン２２を所定の特殊な操作を行うとサービスモードに入り、サービス項目が表示される。表示されたサービス項目の中から「累積時間調整」を選択すると「サービス用累積時間リセット」の「オン」と「オフ」との切り換えスイッチが表示される。「サービス用累積時間リセット」の「オン」を選択すると図１０（Ａ）に示すように現在までの累積時間が表示され、「オフ」を選択すると図１０（Ｂ）に示すように累積時間の表示は”０”となる。
【００７４】
　累積時間の表示が”０”の状態で、「ライト」の操作（サービス調整項目における書き込み動作の一つ）を行うことにより、累積時間タイマの「時」と「分」がメモリ４８に書き込まれると共に、いずれも”０”にリセットされる。
【図面の簡単な説明】
【００７５】
【図１】本発明に係る背面投射型映像装置の略示的な全体斜視図である。
【図２】同平面図である。
【図３】同側面図である。
【図４】同光源部を分解して示した斜視図である。
【図５】同光源部の要部を示した斜視図である。
【図６】同光源部を構成するランプハウスの分解斜視図である。
【図７】同背面投射型映像装置の光学系を示すブロック図である。
【図８】同背面投射型映像装置の光学系の動作を示したフローチャート図である。
【図９】同ランプタイマーの表示例を示した説明図である。
【図１０】同ランプ累積時間の表示例を示す説明図である。
【図１１】従来技術における投射型映像装置の略示的な側面図である。
【図１２】光源を背面から投射する背面型投射の映像を示した略示的な説明図である。
【符号の説明】
【００７６】
１、１Ａ　液晶リアプロジェクションテレビ
２、２Ａ　上部キャビネット
３、３Ａ　下部キャビネット
４、４Ａ　スクリーン
５、５Ａ　ミラー
６　　投射レンズ
７、７Ａ　光学ユニット
８　ランプハウス部
９　液晶表示部
１０　虚像
１１　フレーム部
１２　上面壁
１３　側面壁
１４　背面壁
１５　低面壁
１６　光源部
１７ａ、１７ｂ　スピーカ
１８ａ　第１のグリル
１８ｂ　第２のグリル
１９　　空気取入口
２０　　操作パネル部
２１　　リモコン
２２　　操作ボタン
２３　　ＬＥＤ表示器
２４　　光源収容部
２５　　枠体
２６　　光源収容枠
２７ａ、２７ｂ、２７ｃ、２７ｄ　係合凸部
２８　　ランプハウス収容部
２９　　光路用窓部
３０　　透孔
３１　　開口部
３２　　ネジ穴部
３３　　ランプハウス
３４　　ランプ
３５　　ランプ支持部
３６　　取手部
３７　　透孔
３８　　ランプカバー部
３９　　窓部
４０　　固定ネジ
４１　　ネジ部
４２　　取手
４３　　保護カバー
４４　　ノブ
４６　　システムマイコン
４７　　データバス
４８　　メモリ
４９　　画面表示ＩＣ
５０　　Ｕ／Ｖチューナー
５１　　ＢＳチューナー
５２　　ＡＶスイッチ
５３　　ワイドＩＤ信号検出部
５４　　オーディオコントロール
５５　　３次元コムフィルター
５６　　拡張ＴＶ
５７　　クロマデコーダ
５８　　スキャンコンバータ
５９　　ＲＧＢマトリックス
６０　　ホワイトバランス部
６１　　ＬＣＤドライバ
６３　　ファン
６４　　温度計
６５Ｒ、６５Ｇ、６５Ｂ　ＬＣＤパネル。
【図１】
2004110068.tif 000003
【図２】
2004110068.tif 000004
【図３】
2004110068.tif 000005
【図４】
2004110068.tif 000006
【図５】
2004110068.tif 000007
【図６】
2004110068.tif 000008
【図７】
2004110068.tif 000009
【図８】
2004110068.tif 000010
【図９】
2004110068.tif 000011
【図１０】
2004110068.tif 000012
【図１１】
2004110068.tif 000013
【図１２】
2004110068.tif 000014